(57)【特許請求の範囲】
【請求項１】
無数の格子目を有する１枚の網から複数枚の単位網を打ち抜き、それ等の単位網を重ね合わせ、重なり合う格子目を互いにずらして斜めに交差させてなる泡沫網において、上記１枚の網から複数枚の単位網とその隣接する単位網間を結合する結合部とからなる連続した基材を打ち抜く際、重ね合わさる単位網の重なり合う格子目が互いにずれて斜めに交差するように単位網間の相互位置を選択して打ち抜き、その連続基材を結合部で折り曲げて、それ等の単位網を重ね合わせることを特徴とする泡沫網。
【請求項２】
重ね合わせた単位網の重なり合う格子目が互いに等分にずれて斜めに交差することを特徴とする請求項１記載の泡沫網。
【発明の詳細な説明】
【０００１】
【発明の属する技術分野】
本発明は蛇口、分岐栓、切替弁、シャワーヘッド、浄水器等の流体の吐出口に装着してその乱流を整える泡沫網に関する。
【０００２】
【従来の技術】
従来、水道管の先端に蛇口が取り付けられて使用されている。しかし、蛇口からストレートに水を出すと、管内を流れる水は中心が速く、周囲が遅い乱流となっているため、吐出口から出る水が広がって飛沫になって飛び散り易い。そこで、図８に示すように蛇口１０の吐出口近傍の内部水路に、整流機構として泡沫網１２と水切り板１４とを装着して乱流を整えている。その際、泡沫網１２により水に抵抗を与えると、水の中に空気を混入し、泡沫を形成して乱流を整流化できる。又、水切り板１４を吐出口側に設置すると、更に水流を整流化できる。しかも、水切り板１４の周辺部分から泡沫網１２に空気を送ることができる。なお、１６が水道管との接続部、１８が操作用のハンドルである。
【０００３】
このような泡沫網として、通常は無数の格子目を有する１枚の網から吐出口内部の水路径にほぼ一致する外径を有する独立した単位網をそれぞれ打ち抜いて形成し、その独立した単位網を複数枚重ね合わせて使用している。しかし、独立した単位網を複数枚重ね合わせるだけでは重なり合う格子の目が偶然に一致して整流効果が大きく損なわれることがある。そこで、重なり合う格子目を一致させないようにするため、重なり合う格子目が互いに斜めに交差するように、単位網を互いにずらせて重ね合わせた後にスポット溶接する方法やインサート成形する方法等が行なわれている。なお、単位網には金属網、プラスチック網等が採用されている。
【０００４】
【発明が解決しようとする課題】
しかしながら、このようにして泡沫網を製作すると、単位網毎に打ち抜きを行なわなければならないため、打ち抜き工程が多く、取り扱いの数量も多くなって組み込み時に枚数を間違い易くなる。又、重なり合う格子目が互いにずれて斜めに交差するように、単位網を互いにずらせて重ね合わせるという工程を踏むと、当然工程数も増加してコスト高となる。
【０００５】
本発明はこのような従来の問題点に着目してなされたものであり、第１に工程数の省力化と取り扱いの簡易化を達成できると共に、組み込み枚数を間違えることがなく、重ね合わせる単位網の重なり合う格子目を簡単、確実に互いにずらして斜めに交差させることのできる安価な泡沫網を提供することを目的とする。
又、第２に優れた整流効果が得られる泡沫網を提供することを目的とする。
【０００６】
【課題を解決するための手段】
上記目的を達成するために、本発明による第１目的対応の泡沫網では無数の格子目を有する１枚の網から複数枚の単位網とその隣接する単位網間を結合する結合部とからなる連続した基材を打ち抜く際、その重ね合わさる単位網の重なり合う格子目が互いにずれて斜めに交差するように単位網間の相互位置を選択して打ち抜き、その連続基材を結合部で折り曲げて、それ等の単位網を重ね合わせる。又、第２目的対応の泡沫網では重ね合わせた単位網の重なり合う格子目が互いに等分にずれて斜めに交差する。
【０００７】
【発明の実施の形態】
以下、添付図面に基づいて、本発明の実施の形態を説明する。
図１は本発明を適用した分岐栓用泡沫網を形成する連続基材の３枚の各単位網の中心を結ぶ直線の傾斜角度を左右異にした１例を示す平面図である。図中、２０が無数の格子目を有する１枚の網から打ち抜いた連続基材、２２（２２ａ、２２ｂ、２２ｃ）がその単位網、２４（２４ａ、２４ｂ）がそれ等の隣接する単位網２２の間を結合する結合部である。この連続基材２０を打ち抜く網には直交するＸ軸、Ｙ軸と全ての横線、縦線をそれぞれ平行に配設して無数の格子目を設けた例えば６０メッシュの長尺材を使用する。そして、各単位網２２は分岐栓の放水筒部に装着した口金の吐出口を閉じるため、いずれも吐出口の径より少し径を大きくした円形体にする。又、各結合部２４は隣接する単位網２２の相対する円弧部分を含むようにして、いずれも細長く形成する。
【０００８】
このような連続基材２０を打ち抜く際、その連続基材２０を結合部２４で折り曲げて、それ等の３枚の単位網２２を重ね合わせた時、重なり合う格子目が互いにずれて斜めに交差するようにする。そこで、例えば中央に位置する単位網２２ａの中心点をＸ−Ｙ座標の原点０に一致させ、その単位網２２ａと結合する一方の単位網２２ｂの中心点Ｐ１  を第１象限に決め、それ等のＯＰ１  を結ぶ直線のＸ軸との角度をθ１  とし、他方の単位網２２ｃの中心点Ｐ２  を第４象限に決めて、ＯＰ２  を結ぶ直線のＸ軸との角度をθ２  として、左右の両単位網２２ｂ、ｃが接触するまでθ１  、θ２  を任意に選び、両単位網２２ａ、ｂの外形円に共通な接線２６又はその接線２６に平行な線を一方の折り曲げ線にし、両単位網２２ａ、ｃの外形円に共通な接線２８又は接線２８に平行な線を他方の折り曲げ線にする。なお、図ではθ１  を６０°、θ２  を１５°にした。
【０００９】
このようにして、１枚の網から連続基材２０の輪郭を定めて打ち抜くと、泡沫網の構成に必要な複数枚の例えば３枚の単位網２２を結合部２４を介在させて一度に打ち抜くことができる。それ故、打ち抜きの工程数を省力化できるばかりでなく、単位網間を結合するための工程等も必要としない。しかも、その後の取り扱いが容易となり、組み込み枚数を間違えることがない。そして、泡沫網を形成する際には、各折り曲げ線２６、２８の箇所で折り曲げて単位網２２を重ね合わせるだけでよく、重なり合う格子目を確実に互いにずらして斜めに交差させることができる。
【００１０】
組立時には、図２に示すように分岐栓３０の本体３２の下方に突出する放水筒部３４の内部に、矢印方向に移動させて水切り板３６と泡沫網３８を組み込み、それ等を口金４０で被って、その口金４０の放水筒部３４に対する嵌め込みによって装着する。すると、図３に示すように吐出口４２に泡沫網３８を設置できる。それ故、水切り板３６で乱流を整え、更に単位網２２を３枚重ね合わせた泡沫網３８で水の中に空気を良好に取り込んで泡沫を形成し、整流水にして放出できる。なお、４４が水道の蛇口との結合部、４６が水路切替ハンドル、４８（４８ａ、４８ｂ）が浄水器水路（図示なし）との結合部、５０が安全弁である。
【００１１】
しかしながら、重なり合う格子目を互いにずらして斜めに交差させるだけでは放出される水流に片寄りが発生する場合がある。そこで、図４に示すように単位網２２ｂ、ｃの角度θ１  、θ２  をいずれも３０°にすると、図５に示すように３枚の重ね合わせた単位網２２の重なり合う格子目５２（５２ａ、５２ｂ、５２ｃ）を互いに３０°ずつずらして斜めに交差させることができる。それ故、水流が均等に放出されるようになり、優れた整流効果が得られる。
【００１２】
なお、重ね合わせる単位網を２枚にする場合には、図６に示すように連続基材５４の一方の単位網５６ａを基準にして、その原点（中心点）０と他方の単位網５６ｂの中心点Ｐ３  を結ぶ直線のＸ軸との角度θ３  を２２．５°にする。すると、重なり合う格子目を互いに４５°ずつずらして斜めに交差させることができるため、優れた整流効果が得られる。
又、重ね合わせる単位網を４枚にする場合には、図７に示すように連続基材５８の一つの単位網６０ａを基準にして、その原点０と単位網６０ｂの中心点Ｐ４  を結ぶ直線のＸ軸との角度θ４  を１１．２５°にする。又、単位網６０ａの原点０と単位網６０ｃの中心点Ｐ５  を結ぶ直線のＸ軸との角度θ５  を１１．２５°とし、更に単位網６０ｂの中心点Ｐ４  と単位網６０ｄの中心点Ｐ６  を結ぶ直線のＸ軸との角度θ６  を１１．２５°にする。すると、重なり合う格子目が互いに２２．５°ずつずれて斜めに交差するため、優れた整流効果が得られる。
【００１３】
【発明の効果】
以上説明した本発明によれば、請求項１記載の発明では無数の格子目を有する１枚の網から複数枚の単位網とその隣接する単位網間を結合する結合部とからなる連続した基材を打ち抜き、その連続基材を結合部で折り曲げて、それ等の単位網を重ね合わせるため、打ち抜き工程が１回で済み、単位網の重ね合わせ時に重なり合う格子目を互いにずらして斜めに交差させる工程も必要なくなる。それ故、工程数の省力化と取り扱いの簡易化を達成できると共に、組み込み枚数を間違えることがない。又、連続基材を打ち抜く際、その重ね合わせる単位網の重なり合う格子目が互いにずれて斜めに交差するように単位網間の相互位置を選択して打ち抜くため、その連続基材を結合部で折り曲げて、それ等の単位網を重ね合わせるだけで、重ね合わせた単位網の重なり合う格子目を簡単、確実に互いにずらして斜めに交差させることができる。従って、製品も安価になる。
【００１４】
又、請求項２記載の発明では重ね合わせた単位網の重なり合う格子目が互いに等分にずれて斜めに交差するため、水流を均等に放出して優れた整流効果を発揮できる。
【図面の簡単な説明】
【図１】本発明を適用した分岐栓用泡沫網を形成する連続基材の３枚の各単位網の中心を結ぶ直線のＸ軸に対する傾斜角度を左右異にした１例を示す平面図である。
【図２】同分岐栓に対する泡沫網等の組み込み過程を示す正面図である。
【図３】同分岐栓組み立て完成後の状態を示す底面図である。
【図４】同連続基材の３枚の各単位網の中心を結ぶ直線のＸ軸に対する傾斜角度を左右等しく３０°にした１例を示す平面図である。
【図５】同泡沫網を形成する３枚の重ね合わせた単位網の重なり合う格子目が互いに３０°ずつずれて斜めに交差することを示す図である。
【図６】同連続基材の２枚の各単位網の中心を結ぶ直線のＸ軸に対する傾斜角度を２２．５°にした１例を示す平面図である。
【図７】同連続基材の４枚の各単位網の中心を結ぶ直線のＸ軸に対する傾斜角度を１１．２５°にした１例を示す平面図である。
【図８】従来の水道管用蛇口の吐出口付近の構造を示す部分断面図である。
【符号の説明】
２０、５４、５８……連続基材  ２２、５６、６０…単位網  ２４…結合部  ２６、２８…折り曲げ線  ３０…分岐栓  ３４…放水筒部  ３６…水切り板  ３８  泡沫網  ４０…口金  ４２…突出口  ５２…格子目
【図１】
0003620812.tif 000002
【図４】
0003620812.tif 000003
【図２】
0003620812.tif 000004
【図３】
0003620812.tif 000005
【図５】
0003620812.tif 000006
【図６】
0003620812.tif 000007
【図７】
0003620812.tif 000008
【図８】
0003620812.tif 000009